(57)【要約】【課題】各分析装置から他の分析装置の管理情報を知ることができるようにする。【解決手段】個別管理情報収集部２０はこの液体クロマトグラフ２−１の動作状態や使用者などの管理情報や、この液体クロマトグラフ２−１に含まれる送液ポンプ４、オートサンプラ６、カラムオーブン８及び検出器１０についての管理情報を分析装置通信インターフェース２８を介して個別管理情報として収集する。全体管理情報収集保持部２４はネットワークインターフェイス２２を介して他の液体クロマトグラフ２−２，２−３を検索してそれらの液体クロマトグラフ２−２，２−３の個別管理情報を収集し、この液体クロマトグラフの個別管理情報とともに全体管理情報として保持し、表示部２５に表示したり、Ｗｅｂサーバ２６によりネットワークインターフェイス２２を介してネットワーク１４に提供することができる。【選択図】　　　図２
2004012217.tif 000002
【特許請求の範囲】
【請求項１】
分析装置に含まれる各部についての管理情報を個別管理情報として収集する個別管理情報収集部と、
ネットワークに接続することができてネットワークとの間で情報の授受を行なうネットワークインターフェイスと、
前記ネットワークインターフェイスを介してネットワーク上の他の分析装置を検索するとともに、それらの分析装置の個別管理情報を収集し、この分析装置の個別管理情報とともに全体管理情報として保持する全体管理情報収集保持部と、全体管理情報収集保持部が保持している全体管理情報を表示する表示部とを備えたことを特徴とする分析装置。
【請求項２】
前記全体管理情報収集部が保持する全体管理情報を前記ネットワークインターフェイスからネットワークを介してネットワーククライアントに提供できるネットワークサーバをさらに備えている請求項１に記載の分析装置。
【請求項３】
この分析装置はこの分析装置を制御し管理するコントローラを備えている請求項１又は２に記載の分析装置。
【請求項４】
請求項１から３のいずれかに記載の分析装置をネットワークに接続し、そのネットワークに接続された各分析装置の管理情報を任意の装置から収集して表示することを特徴とする分析装置管理情報の収集方法。
【発明の詳細な説明】
【０００１】
【発明の属する技術分野】
本発明は液体クロマトグラフ、質量分析装置その他の分析装置全般と、それらの分析装置の管理情報を収集する方法に関するものである。
【０００２】
【従来の技術】
液体クロマトグラフを初め、分析装置では装置番号のほか、分析中、分析終了又は待機状態というようなステータス情報、検出器に光学的検出装置を含んでいる場合にはその光源ランプの寿命などの消耗度、動作チェックの結果というような種種の管理情報が存在する。これらの管理情報は、その分析装置内部で収集されその分析装置で表示されるようになっており、その分析装置の管理情報を知ることができる。その表示によってその分析装置が使用可能であるか、メンテナンス作業が必要であるかなどを判断することができる。
【０００３】
１つの施設や企業内で複数の分析装置が稼動していることが多い。その場合でも各分析装置の管理情報を知るには、それぞれの分析装置の所へ行ってその分析装置が収集した個別の管理情報を確認している。
【０００４】
分析装置によっては分析結果や管理情報を分析装置の外部に接続したコンピュータ、例えばパーソナルコンピュータ（ＰＣ）に送信し、そのコンピュータでデータ処理を行ったり管理情報の収集を行うようにしているものもある。その場合でもコンピュータは分析装置ごとに接続されているので、管理情報を参照するためにはその分析装置に接続されたコンピュータによってのみ知ることができる。
【０００５】
【発明が解決しようとする課題】
複数の分析装置が稼動している場合、各分析装置の稼動状態が現在どのような状態であるかを知ったり、空いている分析装置を探して分析を行おうとした場合、各分析装置の場所へ行って分析装置やそれに接続されたコンピュータによりその分析装置の管理情報を確認することが必要であった。そのため、多くの分析装置が稼動していて、しかも設置場所が離れている場合には、全体の分析装置の管理情報を知るためにはそれぞれの分析装置を全て見て回らなければならないという煩わしさがあった。
そこで、本発明は各分析装置から他の分析装置の管理情報を知ることができるようにして複数の分析装置の操作性を向上させることを目的とするものである。
【０００６】
【課題を解決するための手段】
本発明の分析装置は、この分析装置に含まれる各部についての管理情報を個別管理情報として収集する個別管理情報収集部と、ネットワークに接続することができてネットワークとの間で情報の授受を行なうネットワークインターフェイスと、前記ネットワークインターフェイスを介してネットワーク上の他の分析装置を検索するとともに、それらの分析装置の個別管理情報を収集し、この分析装置の個別管理情報とともに全体管理情報として保持する全体管理情報収集保持部と、全体管理情報収集保持部が保持している全体管理情報を表示する表示部とを備えている。
【０００７】
本発明の分析装置管理情報収集方法は、本発明による分析装置をネットワークに接続し、そのネットワークに接続された各分析装置の管理情報を分析装置やパーソナルコンピュータなどの任意の装置から収集して表示する方法である。
管理情報は、装置番号、ステータス情報（分析中、分析終了及び待機状態）検出器の光源ランプなどの部品の消耗度、動作チェック結果などを含んでいる。
【０００８】
本発明の分析装置を使用すれば、作業者は１つの分析装置の場所にいながら、他の分析装置の管理情報を得ることができるので、他の分析装置のメンテナンス作業の必要性を知ったり、空いている分析装置を探して稼動効率を上げたりするのが容易になる。
【０００９】
本発明のような機能を備えていない複数の分析装置をネットワークに接続し、それらの分析装置の管理情報を収集するためにサーバー機構を別途接続した場合、その管理情報を知るにはそのサーバー機構の場所へ行かなければならないという煩わしさが生じる。それに対し、本発明では各分析装置が他の分析装置の管理情報を収集できるため、作業者の移動を必要とせず、操作性が向上する。
【００１０】
【発明の実施の形態】
全体管理情報収集部が保持する全体管理情報をネットワークインターフェイスからネットワークを介してネットワーククライアントに提供できるネットワークサーバをさらに備えていることが好ましい。それにより、ハーソナルコンピュータなど、分析装置以外からでも全体管理情報を知ることができるようになる。
【００１１】
【実施例】
図１はネットワークに分析装置として液体クロマトグラフ２−１〜２−３が接続された一実施例が概略的に示されている。液体クロマトグラフ２−１〜２−３は同じ構成をしており、分析機能を行うユニットとして、溶離液をカラムに送る送液ポンプ４、試料成分の分離を行うカラムを備えたカラムオーブン８、送液ポンプ４でカラムに送られる溶離液の流路にサンプルを注入するオートサンプラ６、及びカラムから溶出した試料成分を検出する検出器１０を備えている。各液体クロマトグラフ２−１〜２−３にはそれぞれの液体クロマトグラフの分析動作を制御したり、検出器が得た検出結果を収集する他に、本発明による管理情報の収集やネットワークインターフェース、ネットワークサーバーを実現しているコントローラ１２が設けられている。
【００１２】
１４はネットワークであり、ネットワーク１４にはこれらの液体クロマトグラフ２−１〜２−３のほか、さらに本発明の特徴を備えた液体クロマトグラフや他の種類の分析装置が接続されていてもよい。また、ネットワーク１４にはパーソナルコンピューター１８も接続されており、パーソナルコンピューター１８はインターネットエクスプローラなどのブラウザーを備えており、ネットワークに接続された液体クロマトグラフ２−１〜２−３などの管理情報を検索できるようになっている。
【００１３】
図２は図１中の１つの液体クロマトグラフ２−１におけるコントローラ１２の機能をより詳細に示したものである。他の液体クロマトグラフ２−２，２−３についても同様である。コントローラ１２はＣＰＵ（中央処理装置）により実現される。
【００１４】
２０は個別管理情報収集部であり、この液体クロマトグラフ２−１の動作状態や使用者などの管理情報や、この液体クロマトグラフ２−１に含まれる送液ポンプ４、オートサンプラ６、カラムオーブン８及び検出器１０についての管理情報を分析装置通信インターフェース２８を介して個別管理情報として収集する。個別管理情報収集部２０は装置制御部を兼ねており、分析装置通信インターフェース２８を介して送液ポンプ４、オートサンプラ６、カラムオーブン８及び検出器１０の動作を制御し、検出結果その他の情報も集める。
【００１５】
２２はネットワーク１４に接続することができてネットワーク１４との間で情報の授受を行なうネットワークインターフェイスである。２４は全体管理情報収集保持部であり、ネットワークインターフェイス２２を介して他の液体クロマトグラフ２−２，２−３を検索してそれらの液体クロマトグラフ２−２，２−３の個別管理情報を収集し、この液体クロマトグラフ２−１の個別管理情報とともに全体管理情報として保持する。２５は表示部で、全体管理情報収集保持部２４が保持している全体管理情報を表示する。
【００１６】
２６はネットワークサーバのＷｅｂサーバであり、全体管理情報収集部２４が保持する全体管理情報をネットワークインターフェイス２２からネットワーク１４を介してネットワーククライアントであるブラウザ（パーソナルコンピュータ）１８に提供することができる。
【００１７】
次に、この実施例の動作について液体クロマトグラフ２−１を中心に説明する。
個別管理情報収集部２０はその液体クロマトグラフ２−１について装置番号、ステータス情報、部品消耗度、動作結果などの管理情報を随時収集する。その管理情報には送液ポンプ４、オートサンプラ６、カラムオーブン８及び検出器１０の情報も含まれる。
【００１８】
ブラウザ１８から全体管理情報を提供するように要求があった場合には、図３に示されるように、動作を行う。ブラウザ１８からの要求があれば、ネットワーク１４に接続されている他の液体クロマトグラフ２−２，２−３のコントローラの有無を検索する。接続を確認したコントローラに対してそれらの液体クロマトグラフ２−２，２−３の個別管理情報を要求する。得られた液体クロマトグラフ２−２，２−３の個別管理情報をこの液体クロマトグラフ２−１の個別管理情報と合わせて全体管理情報としての１つの装置管理情報リストを作成する。そしてＷｅｂサーバ２６がネットワークインターフェース２２を介してブラウザ１８にその装置管理情報リストを送信する。
このような動作は液体クロマトグラフ２−２，２−３についても同様である。
【００１９】
各液体クロマトグラフ２−１〜２−３はブラウザ１８からの要求がなくても、各液体クロマトグラフの機能として他の液体クロマトグラフの個別管理情報を収集し、それ自体の個別管理情報とともに１つの全体管理情報リストを作成して表示することができる。
【００２０】
図４は作成された全体管理情報リストの一例を示したものである。ネットワーク１４に接続されている４台の液体クロマトグラフの管理情報が１つにまとめられて表示されている。各液体クロマトグラフについて、稼動中（Ｒｕｎ）や停止中といった状態、カラムと溶媒の種類、使用者名と期間、動作チェック（Ｓｙｓｔｅｍ　Ｃｈｅｃｋ）を行った日付と判定結果などが一覧表にして表示されている。
【００２１】
【発明の効果】
本発明の分析装置は、ネットワークインターフェイスを備えてネットワークに接続することができるとともに、この分析装置とネットワークに接続された他の分析装置の管理情報を収集し表示できるようにしたので、作業者は１つの分析装置の場所にいながら、他の分析装置の管理情報を得ることができるようになり、他の分析装置のメンテナンス作業の必要性を知ったり、空いている分析装置を探して稼動効率を上げたりするのが容易になる。
【図面の簡単な説明】
【図１】ネットワークに分析装置として液体クロマトグラフが接続された一実施例を概略的に示すブロック図である。
【図２】図１中の１台の液体クロマトグラフにおけるコントローラの機能をより詳細に示すブロック図である。
【図３】同実施例においてブラウザから全体管理情報を提供するように要求があった場合の動作を示すフローチャート図である。
【図４】同実施例において作成された全体管理情報リストの一例を示す表示画面の図である。
【符号の説明】
２−１〜２−３　　　液体クロマトグラフ
４　　　送液ポンプ４
６　　　オートサンプラ
８　　　カラムオーブン
１０　　　検出器
１２　　　コントローラ
１４　　　ネットワーク
１８　　　パーソナルコンピュータ
２０　　　個別管理情報収集部
２２　　　ネットワークインターフェイス
２４　　　全体管理情報収集保持部
２５　　　表示部
２６　　　Ｗｅｂサーバ
２８　　　分析装置通信インターフェース
【図１】
2004012217.tif 000003
【図２】
2004012217.tif 000004
【図３】
2004012217.tif 000005
【図４】
2004012217.tif 000006